(57)【要約】      （修正有）【課題】迷子防止、転倒注意知能管理システムを備える耐滑スリッパを提供する。【解決手段】耐滑スリッパは、アッパー部１、中敷部２、ソール部３を含み、アッパー部１はＰＨＹＬＯＮ材料で一体的に発泡されて形成され、アッパー部１の上方に楕円形部１０１が設置され、アッパー部１の内外側にいずれも排水部１０２が設置される。自主的に研究開発された耐滑知能スリッパであり、ソール部３に緩衝ユニットと排水耐滑ユニットを設置して緩衝及び耐滑をして、夜間にアッパー部１の上部に楕円形部１０１の発光材料が設置されて、夜に外出の安全性を保障して、それに転倒警報機能を有し、効果的に意外な滑りと突発状況を予防して、危険状況に遭遇した人に対して迅速に応急処置して、家族を安心させることができる。【選択図】図１
0003231355.tif 000002
【実用新案登録請求の範囲】
【請求項１】
迷子防止、転倒注意知能管理システムを備える耐滑スリッパであって、アッパー部、中敷部、ソール部を含み、前記アッパー部はＰＨＹＬＯＮ材料で一体的に発泡されて形成され、前記アッパー部の上方に突出した楕円形部が設置され、前記アッパー部の内外側にいずれも排水部が設置されることを特徴とする迷子防止、転倒注意知能管理システムを備える耐滑スリッパ。
【請求項２】
前記楕円形部は、発光材料であることを特徴とする請求項１に記載の迷子防止、転倒注意知能管理システムを備える耐滑スリッパ。
【請求項３】
前記中敷部には突出した立体ブロックが複数設置され、且つマッサージスポットは均等に分布され、中敷部の両側には排水溝が設置されることを特徴とする請求項１に記載の迷子防止、転倒注意知能管理システムを備える耐滑スリッパ。
【請求項４】
前記ソール部には、緩衝ユニットと排水耐滑ユニットが設置され、前記排水耐滑ユニットは、複数のひし形の凸状ブロック、流路溝、排水溝を含み、前記ソール部の上面に配列された隣接のボスの間に水が流れるための流水溝が設置され、流水溝と排水溝は互いに連通し、排水溝はソールの長さと斜め幅方向に延びる長尺状溝で形成されることを特徴とする請求項３に記載の迷子防止、転倒注意知能管理システムを備える耐滑スリッパ。
【請求項５】
前記ソール部は天然ゴム材料で製造され、緩衝耐滑に用いられることを特徴とする請求項３に記載の迷子防止、転倒注意知能管理システムを備える耐滑スリッパ。
【請求項６】
前記転倒警報部は、ソール部の中央位置に設置され、かつ転倒警報部はソールと一体的に閉じられ、前記転倒警報部は、情報モジュール、信号伝送モジュール、及びコイン電池を含み、前記情報モジュールは、信号伝送モジュールとコイン電池とに電気的に接続されることを特徴とする請求項１に記載の迷子防止、転倒注意知能管理システムを備える耐滑スリッパ。
【請求項７】
前記信号伝送モジュールは、ｗｉｆｉ又は５ｇゲートウェイであり、前記信号伝送モジュールは、音光警報器及びサーバに信号を伝送することを特徴とする請求項６に記載の迷子防止、転倒注意知能管理システムを備える耐滑スリッパ。
【考案の詳細な説明】
【技術分野】
【０００１】
本実用新案はスリッパ技術分野に属し、具体的には、迷子防止、転倒注意知能管理システムを備える耐滑靴に関する。
【背景技術】
【０００２】
『一般内科医学』の報告によると、走行での転倒による負傷はわずか１９％であった。『国際老人病学』の報告によると、転倒による負傷が最も多い場所は（午前３時〜６時）のベッドサイドが５４％で、その次はバスルーム、トイレが２８％で、その他の日常活動の合計が１８％であるため、ベッドサイドとバスルームが転倒による負傷が最も多い場所である。従来のスリッパには緩衝耐滑の性能が悪く、転倒後に注意がないという問題もある。
【０００３】
本考案は、高齢者と子供がスリッパを着用して歩くと、壁に衝突したり、転倒しやすいことから、スリッパには緩衝ユニットと排水耐滑ユニットが設置され、転倒しても即時に注意を促す転倒警報部が設置される。従って、迷子防止、転倒注意知能管理システムを備える耐滑スリッパを設計して作り出して耐滑に用いられることは、非常に重要である。
【考案の概要】
【０００４】
上述の技術問題を解決するために、本考案は迷子防止、転倒注意知能管理システムを備える耐滑スリッパを提供して、従来のスリッパにおける、緩衝耐滑の性能を効果的に高めることができず、滑りしやすくなり、転倒しやすくなり、転倒後に直ちに警報して注意を促すことができないという問題を解決する。迷子防止、転倒注意知能管理システムを備える耐滑スリッパであって、アッパー部、中敷部、ソール部を含み、前記アッパー部はＰＨＹＬＯＮ材料で一体的に発泡されて形成され、前記アッパー部の上方に突出した楕円形部が設置され、前記アッパー部の内外側にいずれも排水部が設置される。
【０００５】
好ましくは、前記楕円形部は、発光材料である。
【０００６】
好ましくは、前記中敷部には突出した立体ブロックが複数設置され、且つマッサージスポットは均等に分布され、中敷部の両側には排水溝が設置される。
【０００７】
好ましくは、前記ソール部には、緩衝ユニットと排水耐滑ユニットが設置され、前記排水耐滑ユニットは、複数のひし形の凸状ブロック、流路溝、排水溝を含み、前記ソール部の上面に配列された隣接のボスの間に水が流れるための流水溝が設置され、流水溝と排水溝は互いに連通し、排水溝はソールの長さと斜め幅方向に延びる長尺状溝で形成される。
【０００８】
好ましくは、前記ソール部は天然ゴム材料で製造され、緩衝耐滑に用いられる。
【０００９】
好ましくは、前記転倒警報部は、ソール部の中央位置に設置され、かつ転倒警報部はソールと一体的に閉じられ、前記転倒警報部は、情報モジュール、信号伝送モジュール、及びコイン電池を含み、前記情報モジュールは、信号伝送モジュールとコイン電池とに電気的に接続される。
【００１０】
好ましくは、前記信号伝送モジュールは、ｗｉｆｉ又は５ｇゲートウェイであり、前記信号伝送モジュールは、音光警報器及びサーバに信号を伝送する。
【００１１】
従来技術と比較して、本実用新案は以下のような有益な効果を有する。
１．本実用新案によれば、自主的に研究開発された耐滑知能スリッパは、緩衝と滑り止め機能を有するだけではなく、また、転倒警報機能もあり、夜間には、アッパー部の上部に楕円形部の発光材料が設置されることで、意外な滑りと突発状況を効果的に予防して、応急処置を行い、家族を安心させる。  
【図面の簡単な説明】
【００１２】
【図１】本考案の構成を模式的に示す図である。
【図２】は本考案の排水耐滑ユニットの構成を模式的に示す図である。
【図３】本考案の転倒警報部の構成を模式的に示す図である。
【図４】本考案のソール部の構成を模式的に示す図である。
【考案を実施するための形態】
【００１３】
以下、図１から４に関連して本考案についてさらに詳しく説明する。
実施例：
図１に示すように、本考案は、迷子防止、転倒注意知能管理システムを備える耐滑スリッパを提供し、アッパー部１、中敷部２、ソール部３を含み、前記アッパー部はＰＨＹＬＯＮ材料で一体的に発泡されて形成され、前記アッパー部１の上方に突出した楕円形部１０１が設置され、前記アッパー部１の内外側にいずれも排水部１０２が設置される。
【００１４】
前記楕円形部１０１は、発光材料である。本考案の具体的実施形態には、アッパー部はＰＨＹＬＯＮ材料で一体的に発泡されて形成され、柔軟で弾力があり、立っている過程においては足部の大部分の圧力を緩和することができて、長時間着用すると、両足を軽くて快適にさせることができて、アッパー部１の楕円形部１０１は自己発光材料で製造されて、非常に明るい夜光効果があり、夜間に周りを照らすことができて、使用者が迅速にスリッパを見つけやすくなり、アッパー部の１内外側における排水孔と排気孔の設計で、内から外へ自由に換気するとともに、足にクールな体験を与える。
【００１５】
前記中敷部２には突出した立体ブロック２１が複数設置され、且つマッサージスポット２２は均等に分布され、中敷部の両側には排水溝２３が設置される。中敷部２は、複数の突出した立体ブロックで構成され、足底に多くの溝を残し、且つマッサージポイントが分布しており、両側にいずれも排水溝が設計されて、水を迅速に排出し、空気を通して冷却して汗を排出し、足底と中底の接触面を乾燥させて、摩擦力を増大させ、足が濡れて滑ることを防止する。
【００１６】
前記ソール部２には、緩衝ユニット２４と排水耐滑ユニット２５が設置され、前記排水耐滑ユニット２５は、複数のひし形の凸状ブロック２５１、流路溝２５２、排水溝２５３を含み、前記ソール部の上面に配列された隣接のボスの間に水が流れるための流水溝２５２が設置され、流水溝２５３と排水溝２５３は互いに連通し、前記排水溝２５３はソールの長さと斜め幅方向に延びる長尺状溝で形成される。
【００１７】
前記ソール部２は天然ゴム材料で製造され、緩衝耐滑に用いられる。排水溝２５３は、走行時に水溜まりにあうと、迅速に水膜の分散を導き、油の汚れを分解し、同時に人体の歩行時に力を受ける方向に合わせて接触面の深い付着関係を確立し、地面との摩擦力を増強し、摩擦指数は国際標準に達し、材料は天然ゴム＋国外の調合剤を用いて製造して、減振と滑り防止の役割を達成し、歩行は安全で快適である。
【００１８】
前記転倒警報部３１は、ソール部３の中央位置に設置され、かつ転倒警報部３１はソール３と一体的に閉じられ、前記転倒警報部３１は、情報モジュール３１１、信号伝送モジュール３１２、及びコイン電池３１３を含み、前記情報モジュール３１１は、信号伝送モジュール３１２とコイン電池３１３とに電気的に接続される。
【００１９】
前記信号伝送モジュール３１２は、ｗｉｆｉ又は５ｇゲートウェイであり、前記信号伝送モジュール３１２は、音光警報器３１４に信号を伝送する。
【００２０】
人体工学設計によって、転倒警報部３１とソール部３は一体閉鎖式で左足のソールの裏面に置き、防浸水型（情報モジュール）は低電力消費、高レベル防水、防塵、耐圧構造の設計を採用して、居室での走行は異物感がなく、特にトイレ、バスルームでの走行は気楽で自由である。
【００２１】
利用者が走行中に危険に遭遇した場合、自動的にスリッパ内の情報モジュール（情報モジュールセンサー）をトリガし、利用者の転倒状況を検出した後、直ちにＷＩＦＩ又は５Ｇゲートウェイに情報を送信し、同時にサーバ（ａｐｐ）と音光警報器に送信して、転倒警報を出し、転倒者の緊張感を安定させ、あがきによる二次的な負傷を避ける。
【００２２】
家族は音声警報を聞こえたり、又は家族ＡＰＰ側と企業や機関監督プラットフォームの責任者は同時に転倒警報情報を受信したりすると、危険突発状況に遭遇した人に対して迅速に応急処置を行う。サーバ（ａｐｐ）上のページに今日の転倒記録、低電力記録が表示され、転倒すると、サーバ（ａｐｐ）デバイスには、デバイストリガ警告情報、日付と時刻を受信する。
【００２３】
本考案に記載の技術案を利用して、又は当業者は本考案の技術案の啓発で、類似の技術案を設計して、上記技術効果を達成するものは、いずれも本考案の保護範囲に入っている。
【符号の説明】
【００２４】
１−アッパー部、１０１−楕円形部、１０２−排水部、２−中敷部、２１−立体ブロック、２２−マッサージポイント、２３−排水溝、２４−緩衝ユニット、２５−排水耐滑ユニット、２５１−ひし形凸状ブロック、２５２−流水溝、２５３−排水溝、３−ソール部、３１−転倒警報部、３１１−情報モジュール、３１２−信号伝送モジュール、３１３−コイン電池、３１４−音光警報器、３１５−サーバ。
【図１】
0003231355.tif 000003
【図２】
0003231355.tif 000004
【図３】
0003231355.tif 000005
【図４】
0003231355.tif 000006
【手続補正書】
【提出日】令和3年1月25日(2021.1.25)
【手続補正１】
【補正対象書類名】実用新案登録請求の範囲
【補正対象項目名】全文
【補正方法】変更
【補正の内容】
【実用新案登録請求の範囲】
【請求項１】
迷子防止、転倒注意知能管理システムを備える耐滑スリッパであって、アッパー部、中敷部、ソール部を含み、前記アッパー部はＰＨＹＬＯＮ材料で一体的に発泡されて形成され、前記アッパー部の上方に突出した楕円形部が設置され、前記アッパー部の内外側にいずれも排水部が設置されることを特徴とする迷子防止、転倒注意知能管理システムを備える耐滑スリッパ。
【請求項２】
前記楕円形部は、発光材料であることを特徴とする請求項１に記載の迷子防止、転倒注意知能管理システムを備える耐滑スリッパ。
【請求項３】
前記中敷部には突出した立体ブロックが複数設置され、且つマッサージスポットは均等に分布され、中敷部の両側には排水溝が設置されることを特徴とする請求項１に記載の迷子防止、転倒注意知能管理システムを備える耐滑スリッパ。
【請求項４】
前記ソール部には、緩衝ユニットと排水耐滑ユニットが設置され、前記排水耐滑ユニットは、複数のひし形の凸状ブロック、流路溝、排水溝を含み、前記ソール部の上面に配列された隣接のボスの間に水が流れるための流水溝が設置され、流水溝と排水溝は互いに連通し、排水溝はソールの長さと斜め幅方向に延びる長尺状溝で形成されることを特徴とする請求項３に記載の迷子防止、転倒注意知能管理システムを備える耐滑スリッパ。
【請求項５】
前記ソール部は天然ゴム材料で製造され、緩衝耐滑に用いられることを特徴とする請求項３に記載の迷子防止、転倒注意知能管理システムを備える耐滑スリッパ。
【請求項６】
転倒警報部は、ソール部の中央位置に設置され、かつ転倒警報部はソールと一体的に閉じられ、前記転倒警報部は、情報モジュール、信号伝送モジュール、及びコイン電池を含み、前記情報モジュールは、信号伝送モジュールとコイン電池とに電気的に接続されることを特徴とする請求項１に記載の迷子防止、転倒注意知能管理システムを備える耐滑スリッパ。
【請求項７】
前記信号伝送モジュールは、ｗｉｆｉ又は５ｇゲートウェイであり、前記信号伝送モジュールは、音光警報器及びサーバに信号を伝送することを特徴とする請求項６に記載の迷子防止、転倒注意知能管理システムを備える耐滑スリッパ。